(57)【特許請求の範囲】
【請求項１】
複数の給紙部を備え、当該複数の給紙部のそれぞれに対応付けて設定された記録媒体の種類を示す情報に従って動作する印刷装置に接続可能な情報処理装置であって、
複数の記録媒体の種類に対して１つの識別子が関連付けられたデータを前記印刷装置から取得する取得手段と、
前記取得手段によって取得されたデータを表示する表示手段と、
前記表示手段によって表示されたデータに基づいて選択された識別子に関連付けられた前記複数の記録媒体の種類を示す情報を、前記印刷装置が有する複数の給紙部のそれぞれに対応付けて設定するよう前記印刷装置を制御する制御手段と
を備えることを特徴とする情報処理装置。
【請求項２】
前記制御手段は、前記取得手段によって取得された識別子に関連付けられた前記複数の記録媒体の種類を示す情報のうち、前記印刷装置が有する複数の給紙部に対応付けてまだ設定されていない記録媒体の種類を示す情報を、ユーザに通知するよう制御することを特徴とする請求項１に記載の情報処理装置。
【請求項３】
前記制御手段は、前記取得手段によって取得された識別子に関連付けられた前記複数の記録媒体の種類を示す情報のうち、前記印刷装置が有する複数の給紙部に対応付けて既に設定された記録媒体の種類を示す情報と、まだ設定されていない記録媒体の種類を示す情報とを、前記ユーザに通知するよう制御することを特徴とする請求項２に記載の情報処理装置。
【請求項４】
前記制御手段は、前記まだ設定されていない記録媒体の種類を示す情報についてユーザに設定させるよう制御することを特徴とする請求項２または３に記載の情報処理装置。
【請求項５】
複数の給紙部を備え、当該複数の給紙部のそれぞれに対応付けて設定された記録媒体の種類を示す情報に従って動作する印刷装置であって、
複数の記録媒体の種類に対して１つの識別子が関連付けられたデータを記憶する記憶手段と、
前記記憶手段によって記憶されたデータを表示する表示手段と、
前記表示手段によって表示されたデータに基づいて選択された識別子に関連付けられた前記複数の記録媒体の種類を示す情報を、前記印刷装置が有する複数の給紙部のそれぞれに対応付けて設定する設定手段と
を備えることを特徴とする印刷装置。
【請求項６】
複数の給紙部を備え、当該複数の給紙部のそれぞれに対応付けて設定された記録媒体の種類を示す情報に従って動作する印刷装置に接続可能な情報処理装置の制御方法であって、
複数の記録媒体の種類に対して１つの識別子が関連付けられたデータを前記印刷装置から取得する取得工程と、
前記取得工程にて取得されたデータを表示する表示工程と、
前記表示工程にて表示されたデータに基づいて選択された識別子に関連付けられた前記複数の記録媒体の種類を示す情報を、前記印刷装置が有する複数の給紙部のそれぞれに対応付けて設定するよう前記印刷装置を制御する制御工程と
を備えることを特徴とする情報処理装置の制御方法。
【請求項７】
複数の給紙部を備え、当該複数の給紙部のそれぞれに対応付けて設定された記録媒体の種類を示す情報に従って動作する印刷装置の制御方法であって、
複数の記録媒体の種類に対して１つの識別子が関連付けられたデータを記憶手段に記憶する記憶工程と、
前記記憶手段によって記憶されたデータを表示する表示工程と、
前記表示工程にて表示されたデータに基づいて選択された識別子に関連付けられた前記複数の記録媒体の種類を示す情報を、前記印刷装置が有する複数の給紙部のそれぞれに対応付けて設定する設定工程と
を備えることを特徴とする印刷装置の制御方法。
【請求項８】
請求項６に記載された情報処理装置の制御方法を、コンピュータに実行させるためのプログラム。
【請求項９】
請求項７に記載された印刷装置の制御方法を、コンピュータに実行させるためのプログラム。
【発明の詳細な説明】
【技術分野】
【０００１】
本発明は、情報処理装置、印刷装置、情報処理装置の制御方法、印刷装置の制御方法、およびプログラムに関するものである。
【背景技術】
【０００２】
従来、商業的印刷業界では、種々の作業工程を介して出版物の発行を行っている。具体的には、原稿の入稿、該原稿へのデザインの付与、レイアウト編集、カンプ（印刷によるプレゼンテーション）、校正（レイアウト修正や色修正）、校正刷り（プルーフ印刷）、版下作成、印刷、後処理加工、発送等の作業工程が挙げられる。
【０００３】
特に、商業的印刷業界の場合、印刷工程においてオフセット製版印刷機が用いられることが多いため、版下作成工程は不可欠な工程である。しかしながら、版下作成は、一度行うとその修正が容易ではなく、且つ修正を行った場合、コスト的にかなり不利になることから、版下作成にあたっては、入念な校正（即ち、入念なレイアウトのチェックや色の確認作業）が必須となってくる。このため、出版物の発行が完了するまでには、ある程度の期間を要することが一般的である。
【０００４】
また、商業的印刷業界の場合、各作業工程において利用される装置は大掛かりなものが多くコストがかかる。それに加えて、これら各工程における作業には専門知識が必要であるため、いわゆる職人と呼ばれる熟練者のノウハウが不可欠であった。
【０００５】
このような商業印刷業界の状況に対して、最近、他の形式の印刷装置の高速化、高画質化を受けて、プリント・オン・デマンド（Ｐｒｉｎｔ  Ｏｎ  Ｄｅｍａｎｄ：以下、ＰＯＤと表記する。）と呼ばれる市場が出現しつつある。他の形式の印刷装置としては、電子写真方式の印刷装置やインクジェット方式の印刷装置等が挙げられる。
【０００６】
これは、比較的小ロットのジョブを、大掛かりな装置やシステムを用いずに、短納期で取り扱うことができるよう、上記大規模な印刷機、印刷手法に代わって出現してきたものである。
【０００７】
ＰＯＤ市場では、例えば、デジタル複写機やデジタル複合機等の印刷装置を最大限に活用することで、電子データを用いたデジタルプリントを実現し、プリントサービス等を行うことが可能となっている。
【０００８】
また、ＰＯＤ市場の場合、従来の商業的印刷業界よりもデジタル化が進んでおり、コンピュータを利用した管理・制御が浸透してきていることから、実際に短納期での出版物の発行が可能であり、また、作業者のノウハウが不要であるというメリットもある。さらに、最近では出版物の画質も商業的印刷業界のレベルに近づきつつある。
【０００９】
このような状況に鑑み、ＰＯＤ市場におけるデジタル複写機やデジタル複合機が検討されている。（特許文献１参照）。
【特許文献１】特開２００５−１６５７２２号公報
【発明の開示】
【発明が解決しようとする課題】
【００１０】
ＰＯＤ市場にも適した印刷装置を検討してみると、属性の異なる多種多様な記録媒体に柔軟に対応できるよう構成することが好ましいと考えられる。
【００１１】
例えば、ＰＯＤ環境の現場を想定してみると、印刷を依頼する顧客ごとに、様々な種類の記録媒体を用いた印刷を要求する状況が想定される。その反面、従来の印刷装置では、例えば、印刷を実行させる際の印刷設定にて、普通紙、厚紙、タブ紙、ＯＨＰ用紙といった、大まかな分類で、記録媒体を指定するに留まっていると考える。そこで、例えばＰＯＤ環境にも対応できるように、属性の異なる多種多様な記録媒体に柔軟に対応できる印刷環境を構築出来るようにする事が望ましいと考える。これにより、例えば、「どの会社のなんという記録媒体か」といった、きめ細かい分類による、印刷装置への記録媒体の設定を可能にする。このように、ＰＯＤ環境をも想定し、印刷を依頼する様々なユーザ（顧客）からの様々な記録媒体に関わるニーズにも柔軟に対応することが望ましい。
【００１２】
尚且つ、以下のような状況に対しても十分に対応する事が望ましい。
【００１３】
例えば、上記の如く、印刷を依頼する様々なユーザ（顧客）からの様々な記録媒体に関わるニーズに柔軟に対応するが為に、顧客からの印刷依頼を受けて現場にて作業を行う作業者（オペレータ）の負担が増加する、等の、問題が生じる事を極力抑えたい。このように、顧客が潜在的に使用する可能性を持つ膨大な数にのぼる記録媒体に対応させる為に、顧客からの印刷注文を受けて印刷作業を担当するオペレータに対する負荷が懸念される。そこで、例えば、作業者が顧客からの要望に即した記録媒体を印刷の為に選択するにあたり、煩雑な操作を、オペレータに極力要求しないようにする事が望ましいと考える。煩雑な操作とは、例えば、現場で用意している膨大な記録媒体に関わる情報の中から利用すべき記録媒体の情報を探しだし、それに見合った印刷設定を行うといった操作が挙げられる。
【００１４】
このように、ＰＯＤ環境にて発生しうる上記ニーズにも十分に対処しつつ、現場で作業するオペレータの負担の増加が極力減るような印刷環境を構築出来るようにする事が望ましいと考える。
【００１５】
本発明は上記課題に鑑みてなされたものであり、作業者の負荷低減を図り、様々な状況や利用環境を想定し、様々な顧客からの様々なニーズにも、極力、柔軟に対応できるようにする仕組みを提供することを目的とする。
【課題を解決するための手段】
【００１６】
上記の目的を達成するために本発明に係る情報処理装置は以下のような構成を備える。即ち、
複数の給紙部を備え、当該複数の給紙部のそれぞれに対応付けて設定された記録媒体の種類を示す情報に従って動作する印刷装置に接続可能な情報処理装置であって、
複数の記録媒体の種類に対して１つの識別子が関連付けられたデータを前記印刷装置から取得する取得手段と、
前記取得手段によって取得されたデータを表示する表示手段と、
前記表示手段によって表示されたデータに基づいて選択された識別子に関連付けられた前記複数の記録媒体の種類を示す情報を、前記印刷装置が有する複数の給紙部のそれぞれに対応付けて設定するよう前記印刷装置を制御する制御手段とを備える。
【発明の効果】
【００１７】
本発明によれば、ユーザは、複数の記録媒体の種類を示す情報に関連付けられた識別子を選択することによって、当該複数の記録媒体の種類を示す情報を、印刷装置が有する複数の給紙部のそれぞれに対応付けて設定することができる。
【発明を実施するための最良の形態】
【００１８】
以下、必要に応じて添付図面を参照しながら本発明の各実施形態を詳細に説明する。
【００１９】
［第１の実施形態］
＜印刷システムの構成＞
図１は本発明の第１の実施形態にかかるデジタル複合機（印刷装置）を備えるネットワークシステムの一例を示す図である。同図において、１０１はクライアントＰＣ、１０２はデジタル複合機であり、両者は互いにネットワーク１０３を介して通信可能に接続されている。なお、図２に示すように、デジタル複合機１０２は、メディアセットテンプレート２０１を記憶する記憶部（メモリ３０５）を具備している。このメディアセットテンプレート２０１はデジタル複合機１０２のコントローラ部３０２により管理されている。コントローラ部３０２は、メディアセットテンプレート２０１のデータとして、印刷装置により選択可能な記録媒体の複数の選択肢と、識別子を関連づけて記憶させる。これにより、コントローラ部３０２は各識別子に対応する複数の選択肢を管理し、識別子ごとに関連づけられた選択肢を、表示装置７０６に表示をさせる。ここでは、「設定メディア名」という記録媒体の属性を示す情報を選択肢とした例とする。また、「テンプレート名」とよばれる情報を識別子の例とする。識別子や選択肢は、デジタル複合機１０２の操作部３０４や、クライアントＰＣ１０１の入力装置７０５、表示装置７０６などの、ユーザインタフェース部を介して、ユーザにより、登録可能に構成されている。ユーザインタフェース部を介した識別子や選択肢の登録の指示を受けた場合に、コントローラ部３０２はこの指示に従い、メモリ３０５のメディアセットテンプレート２０１に識別子や選択肢、また、その関連づけを登録させる。
【００２０】
尚、図２では、メディアセットテンプレート２０１に、１つの識別子とそれに関連づけられた５つの選択肢が図示されている。しかしながら、本実施形態では、このメディアセットテンプレート２０１に、複数の識別子と、複数の選択肢を登録できるように、コントローラ部３０２により制御する。この、メディアセットテンプレート２０１のデータ例（テーブルコンテンツ）を、図２７を用いて説明する。
【００２１】
例えば、コントローラ部３０２は、テンプレート名（識別子）２７０１と設定メディア名（選択肢）２７０２のそれぞれのデータとを関連づけて、メディアセットテンプレート２０１のデータとしてメモリ３０５に記憶させる。
【００２２】
図２７の例では、コントローラ部３０２は、「○○○会社」、「△△△商事」、「ユーザＡ」、「12/06のもの」、「安い紙セット」、及び、「製本セット」、というユニークな名称でユーザにより予め登録されている、６つの識別子を、メモリ３０５に記憶させる。且つ、コントローラ部３０２は、「○○○会社」という１つの識別子に、「ハンマーミルボンド」、「ＧＡボード」、「ＮＢリサイクル」、「ギンガムＧＡ」、及び、「ケナフケント」という、設定メディア名の、５つの選択肢を、関連づけて記憶させている。且つ、同様に、コントローラ部３０２は、「△△△商事」という１つの識別子に、「ＮＢリサイクル」、「ＡＢリサイクル２０」、「ケナフケント」、及び、「ＣＣ厚紙」という、４つの選択肢を、関連づけて登録している。且つ、コントローラ部３０２は、「ユーザＡ」という１つの識別子に、「ハンマーミルボンド」、「ＧＡボード」、及び、「ＯＨＰクリア」という、３つの選択肢を、関連づけて登録している。且つ、コントローラ部３０２は、「12/06のもの」という１つの識別子に、「和紙４４」という１つの選択肢を関連づけて記憶させている。且つ、コントローラ部３０２は、「安い紙セット」という１つの識別子に、「ベストコストペーパー」、「リーズナブルペーパー」、及び、「ＮＢリサイクル」という３つの選択肢を関連づけて登録している。且つ、コントローラ部３０２は、「製本セット」という１つの識別子に、「ケナフケント」、「製本用紙ＢＩ」、及び、「ＣＯＰ普通紙」という３つの選択肢を関連づけて記憶させている。
【００２３】
このように、本実施形態で、コントローラ部３０５は、複数の識別子をメディアセットテンプレート２０１のデータとしてメモリ３０５に登録できるように制御している。且つ、各識別子毎にデジタル複合機１０２により選択可能な選択肢を関連づけてメモリ３０５に登録できるように、コントローラ部３０５にて制御している。また、1つの識別子に対して複数の選択肢を関連づけて登録できるようにコントローラ部３０５にて制御している。且つ、１つの識別子に対して１つの選択肢を関連づけて登録できるようにコントローラ部３０５にて制御している。
【００２４】
図２７に示されているように、選択肢は必ずしもユニークなものではなく、複数の識別子に関連づけられてもよい。この場合、選択肢は別にその選択肢にあった属性などのパラメータを持つテーブルに保存し、そのテーブルとの関連づけを行っても良い。
【００２５】
このように、本実施形態のデジタル複合機１０２は、複数の記録媒体の選択肢を設けている。本実施形態のデジタル複合機１０２のコントローラ部３０５
は、この複数の記録媒体の選択肢を用いて選ばれた記録媒体への印刷処理を制御する。ここで、それぞれの記録媒体には記録媒体毎に異なる、印刷処理に用いる属性が存在する。この属性とは、例えば、記録媒体の厚さ、色味、定着電圧などである。これに対応するために、コントローラ部３０５は、図２８に示すような記録媒体のテーブルを、メモリ３０５上に記憶保持させ、管理する。
【００２６】
この記録媒体のテーブルは、記録媒体固有の各種の属性や、その属性に伴う印刷に用いるパラメータを記録するものであり、印刷処理の際に、コントローラ部３０５により用いることができるように構成されている。メディアセットテンプレート２０１や図２８の記録媒体のテーブルは、クライアントＰＣ１０１やデジタル複合機１０２のユーザインタフェース部からの操作に応じた印刷処理をする際に、適宜読み出し可能に構成されている。そして、メディアセットテンプレート２０１に基づく情報を用いた記録媒体の選択肢と、記録媒体のテーブルは関連づけられており、メディアセットテンプレート２０１に基づく選択肢の選択時には、記録媒体の属性情報が利用可能に構成されている。つまり、印刷処理を実行する際に、コントローラ部３０２は、メモリ３０５に保持された記録媒体のテーブルを検索し、選択肢の記録媒体に対応する厚さ、色味、定着電圧や、その他の情報を用いて印刷処理を実行させる。
【００２７】
また、これらの構成は、第１の実施形態に限らず、第２の実施形態、及び、その他の実施形態でも用いるものとする。
【００２８】
＜デジタル複合機の機能構成＞
次に本発明の第１の実施形態にかかるデジタル複合機１０２の機能構成について図３を用いて説明する。
【００２９】
図３は、デジタル複合機１０２の機能構成を示す図であり、ここでは、特にＣＯＰＹ／ＰＲＩＮＴ／ＦＡＸなどの機能を有するデジタル複合機のブロック図を例示している。
【００３０】
図３において、３０１はスキャナ部であり、原稿読み取り処理を行う。３０２はコントローラ部であり、スキャナ部３０１において読み取られた画像に画像処理を施し、メモリ３０５に格納する。３０４はスキャナ部３０１において読み取られた画像に対する各種印刷条件等を設定する操作部である。また、３０３はプリンタ部であり、メモリ３０５から読み出された画像データに基づいて、操作部３０４により設定された印刷条件のもと、記録媒体上に画像形成を行う。
【００３１】
＜コントローラ部３０２の詳細構成＞
次にデジタル複合機１０２の制御を行うコントローラ部３０２のハードウェア構成の詳細について図４を用いて説明する。
【００３２】
図４に示すように、コントローラ部３０２内のメインコントローラ４０１は、主にＣＰＵ４０２と、バスコントローラ４０３、及び各種Ｉ／Ｆコントローラ回路から構成される。
【００３３】
ＣＰＵ４０２とバスコントローラ４０３は、デジタル複合機１０２全体の動作を制御するものであり、ＣＰＵ４０２はＲＯＭ４０４からＲＯＭ  Ｉ／Ｆ４０５を経由して読み込んだプログラムに基づいて動作する。また、受信したＰＤＬ（ページ記述言語）コードデータを解釈し、ラスターイメージデータに展開する動作も、このプログラムに記述されており、ソフトウェアによって処理される。バスコントローラ４０３は各Ｉ／Ｆから入出力されるデータ転送を制御するものであり、バス競合時の調停やＤＭＡデータの転送制御を行う。
【００３４】
ＤＲＡＭ４０６はＤＲＡＭ  Ｉ／Ｆ４０７によってメインコントローラ４０１と接続されており、ＣＰＵ４０２が動作するためのワークエリアや、画像データを蓄積するためのエリアとして使用される。
【００３５】
コーデック４０８は、ＤＲＡＭ４０６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ４０９はコーデック４０８の一時的なワーク領域として使用される。コーデック４０８はＩ／Ｆ４１０を介してメインコントローラ４０１と接続され、ＤＲＡＭ４０６との間のデータ転送は、バスコントローラ４０３によって制御されＤＭＡ転送される。
【００３６】
グラフィックプロセッサ４２４は、ＤＲＡＭ４０６に蓄積されたラスターイメージデータに対して、画像回転、画像変倍、色空間変換、二値化の処理をそれぞれ行う。ＳＲＡＭ４２５はグラフィックプロセッサ４２４の一時的なワーク領域として使用される。グラフィックプロセッサ４２４はＩ／Ｆを介してメインコントローラ４０１と接続され、ＤＲＡＭ４０６との間のデータ転送は、バスコントローラ４０３によって制御されＤＭＡ転送される。
【００３７】
ネットワークコントローラ４１１はＩ／Ｆ４１３によってメインコントローラ４０１と接続され、コネクタ４１２によって外部ネットワークと接続される。ネットワークとしては一般的にイーサネット（登録商標）があげられる。
【００３８】
汎用高速バス４１５には、拡張ボードを接続するための拡張コネクタ４１４とＩ／Ｏ制御部４１６とが接続される。汎用高速バスとしては、一般的にＰＣＩバスがあげられる。Ｉ／Ｏ制御部４１６には、スキャナ部３０１、プリンタ部３０３が備える各ＣＰＵと制御コマンドを送受信するための調歩同期シリアル通信コントローラ４１７が２チャンネル装備されている。また、Ｉ／Ｏバス４１８によってスキャナＩ／Ｆ回路４２６、プリンタＩ／Ｆ回路４３０に接続されている。
【００３９】
パネルＩ／Ｆ４２１は、ＬＣＤコントローラ４２０に接続され、操作部３０４上の液晶画面に表示を行うためのＩ／Ｆと、ハードキーやタッチパネルキーの入力を行うためのキー入力Ｉ／Ｆとから構成される。
【００４０】
操作部３０４は液晶表示部と液晶表示部上に張り付けられたタッチパネル入力装置と、複数個のハードキーを有する。タッチパネルまたはハードキーにより入力された信号は前述したパネルＩ／Ｆ４２１を介してＣＰＵ４０２に伝えられ、液晶表示部はパネルＩ／Ｆ４２１から送られてきた画像データを表示するものである。液晶表示部には、本デジタル複合機１０２の操作における機能の表示や画像データの表示等を行う。
【００４１】
リアルタイムクロックモジュール４２２は、機器内で管理する日付と時刻を更新／保存するためのもので、バックアップ用電池４２３によってバックアップされている。
【００４２】
Ｅ−ＩＤＥインタフェース４３９は、外部記憶装置を接続するためのものである。本実施形態においては、このＩ／Ｆを介してハードディスクドライブ４３８を接続し、ハードディスク４４０へ画像データを記憶させ、ハードディスク４４０から画像データを読み込む動作を行う。コネクタ４２７と４３２は、それぞれスキャナ部３０１とプリンタ部３０３とに接続され、同調歩同期シリアルＩ／Ｆ（４２８、４３３）とビデオＩ／Ｆ（４２９、４３４）とから構成される。
【００４３】
スキャナＩ／Ｆ４２６は、コネクタ４２７を介してスキャナ部３０１と接続され、また、スキャナバス４４１によってメインコントローラ４０１と接続されており、スキャナ部３０１から受け取った画像に対して所定の処理を施す機能を有する。さらに、スキャナ部３０１から送られたビデオ制御信号をもとに生成した制御信号を、スキャナバス４２９に出力する機能も有する。スキャナバス４２９からＤＲＡＭ４０６へのデータ転送は、バスコントローラ４０３によって制御される。
【００４４】
プリンタＩ／Ｆ４３０は、コネクタ４３２を介してプリンタ部３０３と接続される。また、プリンタバス４３１によってメインコントローラ４０１と接続されている。メインコントローラ４０１から出力された画像データに所定の処理を施して、プリンタ部３０３へ出力する機能を有し、さらに、プリンタ部３０３から送られたビデオ制御信号をもとに生成した制御信号を、プリンタバス４３１に出力する機能も有する。
【００４５】
ＤＲＡＭ４０６上に展開されたラスターイメージデータのプリンタ部３０３への転送は、バスコントローラ４０３によって制御され、プリンタバス４３１、ビデオＩ／Ｆ４３４を経由して、プリンタ部３０３へＤＭＡ転送される。
【００４６】
ＳＲＡＭ４３６は、バックアップ用電池から供給される電源により、デジタル複合機全体が電源遮断されても記憶内容を保持できる構成となっているメモリであり、バス４３５を介してＩ／Ｏ制御部と接続されている。ＥＥＰＲＯＭ４３７も同様にバス４３５を介してＩ／Ｏ制御部と接続されているメモリである。コントローラ部３０２のハードウェア構成の詳細は以上である。
【００４７】
＜操作部３０４の構成＞
次に各種印刷設定を行う操作部３０４（デジタル複合機１０２のユーザインタフェースユニット）の構成について説明する。図５に示す操作部３０４が図４の４２１のパネルＩ／Ｆの先に接続されている。５０２はユーザが設定した設定値などを取り消すためのリセットキーである。５０３は動作中のジョブを中止させる時に使用するストップキーである。５０４は置数などの数値入力を行うためのテンキーである。５０５はタッチパネル式の操作画面であり、予め登録された画面を表示する。各種設定をするためのタッチパネルのボタンが多数存在する。５０６は原稿の読み込みなどジョブをスタートさせるためのスタートキーである。５０７は設定などをクリアするためのクリアキーである。
【００４８】
＜スキャナ部３０１及びプリンタ部３０３のハードウェア構成＞
図６はスキャナ部３０１及びプリンタ部３０３の断面図である。スキャナ部３０１の原稿給送装置６０１は原稿を最終頁から順に１枚ずつプラテンガラス６０２上へ給送し、原稿の読み取り動作終了後、プラテンガラス６０２上の原稿を排出するものである。
【００４９】
原稿がプラテンガラス６０２上を搬送されると、ランプ６０３を点燈し、そしてスキャナユニット６０４の移動を開始させて、原稿を露光走査する。このときの原稿からの反射光は、ミラー６０５、６０６、６０７、６０８によってＣＣＤイメージセンサ６０９へ導かれる。
【００５０】
このように走査された原稿の画像はＣＣＤ６０９によって読み取られるＣＣＤ６０９から出力される画像データは、所定の処理が施された後、プリンタ部３０３および画像入出力制御部のコア部へ転送される。
【００５１】
プリンタ部３０３にはレーザ発光部６１０を駆動するためのレーザドライバがあって、スキャナ部３０１から出力された画像データに応じてレーザ発光部６１０を駆動し発光させる。
【００５２】
またプリンタ制御部６２１は外部とネットワークで接続され、入力された画像データを処理し、画像データに応じてレーザ発光部６１０を駆動し発光させる。
【００５３】
このレーザ光は回転多面鏡で掃引された後、感光ドラム６１１に照射され、感光ドラム６１１上にレーザ光の露光に応じた潜像を形成させる。この感光ドラム６１１の潜像の部分には現像器６１２によって現像剤が付着される。現像剤（例えばトナー）の量は、画像データによる信号に加えて、予め定義されたテーブル（例えばＩＣＣプロファイル）や、印刷条件を加味して算出される。このため、トナー量を印刷条件にてセットすることにより、記録媒体に適したトナー量にて印刷を実現できる。このトナー量は図２８に示す記録媒体マスタなどに、メディアに応じた適正量を保持しておくと良い。これにより、選択されたメディアにあったトナー量を用いた印刷処理が可能となる。
【００５４】
そして、レーザ光の照射開始と同期したタイミングで、給紙トレイ６１３、給紙トレイ６１４等（ただし、給紙トレイの数は２つに限らない）から記録媒体を供給して転写部６１５へ搬送し、感光ドラム６１１に付着された現像剤を記録媒体に転写する。
【００５５】
現像剤が転写された記録媒体は定着部６１６に搬送され、定着部６１６の熱と圧力により現像剤は記録媒体に定着される。定着部６１６の温度は印刷条件により変更することが可能に構成されている。これにより、記録媒体に適した定着が実現できる。この定着温度は図２８に示す記録媒体マスタなどに、メディアに応じた定着温度を保持しておくと良い。これにより、選択されたメディアにあった定着温度を用いた印刷処理が可能となる。
【００５６】
定着部６１６を通過した記録媒体は排出ローラ６１７によって排出され、ソータ６２０は排出された記録媒体をそれぞれのビンに収納して記録媒体の仕分けを行う。
【００５７】
ソータ６２０の最上ビンはサンプルトレイ６２２である。その他に、大量の出力を積載できるトレイ６２３がある。サンプルトレイ６２２とトレイ６２３のいずれかに排出するかは、フラッパ６２４により切り替えられる。
【００５８】
また、両面記録が設定されている場合は、排出ローラ６１７の回転方向を逆転させ、フラッパ６１８によって再給紙搬送路へ導く。多重記録が設定されている場合は、記録媒体を排出ローラ６１７まで搬送しないようにフラッパ６１８によって再給紙搬送路へ導く。再給紙搬送路へ導かれた記録媒体は上述したタイミングで転写部６１５へ給紙される。
【００５９】
＜クライアントＰＣ１０１の構成＞
次に本発明の第１の実施形態にかかるクライアントＰＣ（情報処理装置）１０１の構成について説明する。
【００６０】
図７において、７０１は制御メモリ（ＲＯＭ）、７０２は中央演算処理装置（ＣＰＵ）、７０３はメモリ（ＲＡＭ）、７０４は外部記憶装置、７０５は入力装置、７０６は表示装置、７０７はネットワークＩ／Ｆ、７０８はバスである。本実施形態にかかる情報処理機能を実現するための制御プログラムやその制御プログラムで用いるデータは、制御メモリ７０１に記憶される。これらの制御プログラムやデータは、中央演算処理装置７０２の制御のもと、バス７０８を通じて適宜メモリ７０３に取り込まれ、中央演算処理装置７０２によって実行される。
【００６１】
＜印刷に際してクライアントＰＣ１０１における処理の流れ＞
図８は、クライアントＰＣ１０１から送信される画像データに基づいてデジタル複合機１０２にて印刷出力するに際して、クライアントＰＣ１０１における処理の流れを示すフローチャートである。なお、以下に説明する処理は、クライアントＰＣ１０１にインストールされたプリンタドライバ（デジタル複合機１０２用のプリンタドライバ）によりＣＰＵ７０２にて実行させるものとする。また、ユーザによる各種指示及び操作は、クライアントＰＣ１０１のユーザインタフェース部である入力装置７０５を介してなされる。入力装置７０５の例としては、マウスやタッチパッドなどのポインティングデバイスやキーボードなどが上げられる。また、デジタル複合機のユーザインタフェース部を用いる場合には、操作部３０４のタッチパネル部やハードキーなどを用いるとよい。
【００６２】
ステップＳ８０１にてユーザからの印刷指示を受け付けると、ステップＳ８０２で、ＣＰＵ７０２は図９に示す印刷設定画面を表示させる。
【００６３】
ステップＳ８０３では、ＣＰＵ７０２は印刷設定画面上の「メディアセットテンプレートで指定」（９０１）選択欄がユーザにより選択されているか否かを判定する。選択されていないとＣＰＵ７０２が判定さした場合には、ステップＳ８１４の処理を実行させる。
【００６４】
一方、選択されていると判定された場合に、ＣＰＵ７０２は、ステップＳ８０４の処理として、図１０に示すメディアセットテンプレート選択ウィンドウ１００１をクライアントＰＣ１０１の表示部７０６に表示させる。なお、表示方法としては、既に表示させていた画面の一部に表示させても良いし、新しい画面にて表示させても良い。続いて、ＣＰＵ７０２は、ステップＳ８０５で、メディアセットテンプレート選択ウィンドウ１００１上の「取得」ボタン１００２が、ユーザにより押下されたか否かを判定する。「取得」ボタン１００２が押下されていないと判定した場合には、ステップＳ８１５に進み、「キャンセル」ボタン１００３が押下されたか否かを判定する。
【００６５】
ステップＳ８１５において「キャンセル」ボタン１００３が押下されたと判定された場合には、ステップＳ８０３に戻る。一方、「キャンセル」ボタン１００３が押下されていないと判定された場合には、ステップＳ８０５に戻る。なお、この時点では、デジタル複合機１０２に設定されたメディアセットテンプレート２０１を取得していないため、メディアセットテンプレート選択ウィンドウの選択欄１００４は空白であり、この場合、「ＯＫ」ボタン１００５は選択することができないようにＣＰＵ７０２により制御する。
【００６６】
一方、ステップＳ８０５において、「取得」ボタン１００２がユーザにより押下されたと判定した場合に、ＣＰＵ７０２は、当該ユーザからの指示に応答してステップＳ８０６の処理を実行させる。ステップＳ８０６の処理で、ＣＰＵ７０２は、デジタル複合機１０２のメディアセットテンプレート２０１の取得をするためのコマンドを、ネットワークを介してデジタル複合機１０２に、送信させる。これと同時にＣＰＵ７０２は、図１１に示す本体設定サーチ中ウィンドウ１１０１、つまり、デジタル複合機１０２からメディアセットテンプレート２０１のデータを取得中であることをユーザに示す画面、をクライアントＰＣ１０１の表示部７０６に表示させる。デジタル複合機１０２のコントローラ部３０２は、このコマンドをデジタル複合機１０２が受けたことに応じて、メモリ３０５から、メディアセットテンプレート２０１を読み出し、クライアントＰＣ１０１に送信する。つまり、クライアントＰＣ１０１は、ネットワークを介してデジタル複合機１０２が有するメディアセットテンプレート２０１のデータを取得する。
【００６７】
尚、デジタル複合機１０２のコントローラ部３０２は、メディアセットテンプレート２０１のデータをメモリ３０５から読み出す時点での給紙トレイ情報も確認する。そして、コントローラ部３０２は、各メディアセットテンプレートに設定されている各記録媒体について、現在給紙トレイに当該記録媒体がセットされているか否かの情報もクライアントＰＣ１０１に送信する。
【００６８】
次に、クライアントＰＣ１０１のＣＰＵ７０２は、Ｓ８０７の処理を実行させる。クライアントＰＣ１０１のＣＰＵ７０２は、メディアセットテンプレート２０１のデータをデジタル複合機１０２からクライアントＰＣ１０１が取得したことに応じて、当該データに基づく画面を、クライアントＰＣ１０１の表示部７０６に図１２の様に表示させる。クライアントＰＣ１０１のＣＰＵ７０２は各メディアセットテンプレートに設定されている各記録媒体について、現在給紙トレイに当該記録媒体がセットされているか否かの情報もここで表示させる。ここで、メディアセットテンプレート２０１を取得するといった場合に、幾つかの方法が考えられるので説明する。例えば、まずテンプレート名（識別子）のデータのみ取得し、選択されたテンプレート名に関連づけられた選択肢を、識別子の選択を受けつたことに応じてさらに取得する。また、一度に図２７に示すようなデータを全て取得しても良い。
【００６９】
ステップＳ８０８では、ユーザによるメディアセットテンプレートの選択を受け付ける。図１２では、「○○○会社」が選択されている。ステップＳ８０９では、「ＯＫ」ボタン１２０１が押下されたか否かを判定する。「ＯＫ」ボタン１２０１が押下されていないと判定された場合には、ステップＳ８１６に進み、「キャンセル」ボタン１２０２が押下されたか否かを判定する。「キャンセル」ボタン１２０２が押下されたと判定された場合には、ステップＳ８０３に戻る。一方、「キャンセル」ボタン１２０２が押下されていないと判定された場合には、ステップＳ８０９に戻る。図２９は識別子として「△△△商事」が選択された場合を示している。「△△△商事」の選択に応じて、ＣＰＵ７０２は図２７に示すようなテーブルから「△△△商事」に関連づけられた選択肢を検索する。そして、図２９に図示するように、関連づけられた選択肢を表示させる。このように、ユーザによる選択に応じて表示させる選択肢が代わるため、ユーザは識別子に関連づけられた選択肢を容易に判別可能になり、かつ、効率的な設定作業が実現される。
【００７０】
一方、ステップＳ８０９において、「ＯＫ」ボタン１２０１が押下されたと判定された場合には、ステップＳ８１０に進み、図１３に示す給紙トレイ選択ウィンドウを表示する。ユーザは図１３に示す給紙トレイ選択ウィンドウ上で、どの給紙トレイに記録媒体をセットするかを選択する。
【００７１】
ステップＳ８１１では給紙トレイ選択ウィンドウ（図１３）上で、「ＯＫ」ボタン１３０１が押下されたか否かを判定し、押下されていなければ、ステップＳ８１７に進み、「キャンセル」ボタン１３０２が押下されたか否かを判定する。「キャンセル」ボタン１３０２が押下されていない場合には、ステップＳ８１１に戻る。一方、「キャンセル」ボタン１３０２が押下されたと判定された場合には、ステップＳ８０３に戻る。
【００７２】
一方、ステップＳ８１１にて「ＯＫ」ボタン１３０１が押下されたと判定された場合には、ステップＳ８１２に進み、図１４に示す給紙トレイ設定ウィンドウを表示する。デジタル複合機１０２では、図１４に示す給紙トレイ設定ウィンドウに表示されたように、各記録媒体が各給紙トレイにセットされていると認識することとなる。換言すると、オペレータは、図１４に示す給紙トレイ設定ウィンドウに表示されたように、各記録媒体を各給紙トレイにセットすることが必要である。
【００７３】
ステップＳ８１３では、給紙トレイ設定ウィンドウ（図１４）上において、「印刷開始」ボタン１４０１が押下されたか否かを判定する。ステップＳ８１３において「印刷開始」ボタン１４０１が押下されたと判定された場合には、ステップＳ８１４に進み、上記設定内容を印刷しようとする画像データに付加し、デジタル複合機１０２にむけて送信する。
【００７４】
一方、ステップＳ８１３において「印刷開始」ボタン１４０１が押下されたと判定されなかった場合には、ステップＳ８１８に進み、「キャンセル」ボタン１４０２が押下されたか否かを判定する。「キャンセル」ボタン１４０２が押下されたと判定された場合には、ステップＳ８０３に戻る。一方、ステップＳ８１８において、「キャンセル」ボタン１４０２が押下されていないと判定された場合には、ステップＳ８１３に戻る。
【００７５】
ステップＳ８１４において、画像データの送信が完了すると、処理を終了する。これにより、デジタル複合機１０２では、オペレータが各給紙トレイにセットした記録媒体がどのような記録媒体であるかを認識する。そして、図９の印刷設定画面で設定された他の印刷条件のもと、いずれかの給紙トレイを選択して印刷出力を行うこととなる。
【００７６】
以上の説明から明らかなように、本実施形態にかかるデジタル複合機は、メディアセットテンプレートを有している。そして、本実施形態にかかるクライアントＰＣは、デジタル複合機を介しての印刷に際して印刷条件を入力する場合に、該メディアセットテンプレートのテンプレート名を選択可能に表示させることが可能な構成となっている。
【００７７】
そして、ユーザは当該テンプレート名を選択するだけで、各給紙トレイにセットされる記録媒体の属性を示す情報（記録媒体の選択肢）をデジタル複合機に設定することが可能である。つまり、膨大な数の記録媒体の属性を示す情報の中から、所定の情報を選択し、各給紙トレイごとに設定していくという作業を回避することが可能となり、設定作業の負荷低減を図ることが可能である。
【００７８】
また、各テンプレート名に対応付けられている複数の記録媒体に対して、給紙トレイとの対応関係が設定されていなかった場合には、選択的に設定することが可能である。
【００７９】
上述のフローチャートや各種処理に基づいて、より、具体的なケースを用いて更に説明する。ここでは、クライアントＰＣ１０１にあるデータを印刷条件と共にネットワーク１０３を介してデジタル複合機１０２に送信し、印刷処理させる例を用いて説明する。
【００８０】
（制御例１）クライアントＰＣ１０１のＣＰＵ７０２は、ＰＣ１０１の入力装置７０５を用いて、ＰＣ１０１のユーザにより、複合機１０２により印刷させるべき印刷データ（ドキュメントデータ）を、選択させる。以下、このジョブを、ジョブＡと称す。ＣＰＵ７０２は、印刷対象となる該ジョブＡの印刷データの印刷指示の受け付けに応じて、図９に示すような印刷設定画面を、ＰＣ１０１の表示装置７０６に表示させる。尚、現段階では、まだ印刷データをＰＣ１０１から複合機１０２に対して送信する前の段階である。
【００８１】
ＰＣ１０１のＣＰＵ７０２は、図９の画面の「メディアセットテンプレートで指定」キー９０１がＰＣ１０１のユーザ操作により押下された事に応答し、ＰＣ１０１の表示装置７０６に、図１０に示すようなメディアセットテンプレートの選択画面を、表示させる。
【００８２】
図１０の画面の取得キー１００２がＰＣ１０１のユーザにより押下された事に応じ、ＣＰＵ７０２は、複合機１０２のメモリ３０５に保持されているメディアセットテンプレート２０１のデータを取得する為のリクエストコマンドを、ＰＣ１０１から複合機１０２に、送信させる。この時点においても、まだ、ジョブＡの印刷データは複合機１０２に送信させない。尚且つ、ＰＣ１０１のユーザによる該キー１００２の押下に応答し、ＣＰＵ７０２は、メディアセットテンプレート２０１のデータを複合機１０２から取得中である旨をＰＣ１０１のユーザに通知する為の情報を、ＰＣ１０１の表示装置７０６に、表示させる。この表示制御例を図１１に示す。
【００８３】
一方、該コマンドを複合機１０２が受信したことに応じて、複合機１０２のコントローラ部３０２は、以下の処理をする。デジタル複合機１０２のコントローラ部３０２は、図２７に示すようなメディアセットテンプレート２０１のデータを、デジタル複合機１０２のメモリ３０５から読み出す。複合機１０２のコントローラ部３０２は、読み出した該メディアセットテンプレート２０１のデータを、当該コマンド送信元であるクライアントＰＣ１０１に対して送信するよう複合機１０２を制御する。
【００８４】
尚、図１には１つのクライアントＰＣしか図示していない。しかしながら、複数のクライアントＰＣがネットワークに接続されていた場合でも、メディアセットテンプレート２０１のデータの授受をこれら複数のＰＣと実行可能にする。例えば、複合機１０２のコントローラ部３０２は、複数のＰＣの何れかからメディアセットテンプレート２０１の取得要求を複合機１０２が受信すると、ＩＰ情報等に基づいて要求元のＰＣを特定する。そして、メディアセットテンプレート２０１の取得要求コマンドを送信してきたクライアントＰＣに対して、メディアセットテンプレートのデータを送信するよう制御する。これにより、メディアセットテンプレート２０１のデータの管理を、複合機１０２にて、一元管理でき、複数のクライアントＰＣを使用した場合のオペレータの操作性を向上することが可能である。
【００８５】
クライアントＰＣ１０１のＣＰＵ７０２は、複合機１０２から送信されたメディアセットテンプレート２０１のデータをクライアントＰＣ１０１が受信したことに応じて、図１２に示す、メディアセットテンプレート選択画面を、表示装置７０６に表示させる。クライアントＰＣ１０１のＣＰＵ７０２が、表示装置７０６により表示させる内容は、複合機１０２から受信したメディテンプレート２０１のデータに基づく。また、ＣＰＵ７０２は、ＰＣ１０１の表示装置７０６にメディテンプレート２０１のデータを表示させる際に、複合機１０２にて利用可能な記録媒体に関わる識別子と選択肢の対応関係がユーザにより識別可能になるように、メディテンプレート２０１のデータの一覧情報を表示させる。この例を図１２に示す。
【００８６】
ここで、ＰＣ１０１のユーザインタフェース部を介して、クライアントＰＣ１０１のユーザにより、図１２の画面の「○○○会社」が選択された場合について説明する。ＣＰＵ７０２は、デジタル複合機１０２から取得したメディアセットテンプレート２０１のデータに基づいて、「○○○会社」という名称の識別子に関連づけられた選択肢（本形態では、設定メディア名と称する）を表示させる。図１２の例では、ＰＣ１０１のＣＰＵ７０２は、「○○○会社」に関連づけられた記録媒体の設定メディア名として次の設定メディア名を表示させている。すなわち、「ハンマーミルボンド」、「ＧＡボード」、「ＮＢリサイクル」、「ギンガムＧＡ」、「ケナフケント」の設定メディア名が表示させられている。
【００８７】
このように、本実施形態では、複合機１０２にて印刷時に利用可能な複数の記録媒体に関わる複数の識別子のリストを、複合機１０２から取得するメディアセットテンプレート２０１のデータに基いて、ＰＣ１０１の表示部に表示可能に制御する。且つ、該リストの中から所望の1つの識別子をＰＣ１０１のユーザにより選択可能に制御する。且つ、表示リストの中からＰＣ１０１のユーザにより何れか1つの識別子が選択された事に応じて、該1つの識別子に関連づけられた選択肢（設定メディア）のリストをＰＣ１０１の表示部に表示可能に制御する。且つ、それらの選択肢から、ユーザインタフェース部を介してＰＣ１０１のユーザによる選択ができるように、ＣＰＵ７０２は制御する。
【００８８】
上記例にて、例えば、ＰＣ１０１のユーザにより、設定メディア名のリストの中から「ＧＡボード」が選択され、ＯＫキー１２０１が、入力装置７０５を介して、押下されたとする。この場合、ＰＣ１０１のＣＰＵ７０２は、該ジョブＡの印刷データと印刷設定に関わるデータ（コマンド）とを、ＰＣ１０１からデジタル複合機１０２に、送信する。
【００８９】
このＰＣ１０１から送信する該ジョブＡの印刷設定（印刷条件）に関わるデータには、例えば、片面印刷か両面印刷かの設定に関わるデータ、印刷部数に関わるデータ、フィニッシィングに関わるデータ等が含まれる。尚且つ、該ジョブＡの印刷設定に関わるデータには、「○○○会社」の識別子がＰＣ１０１のユーザにより指定された事を示すデータと、該識別子に関連付けられている設定メディア名が「ＧＡボード」という選択肢がＰＣ１０１のユーザにより指定された事を示すデータが含まれている。ＰＣ１０１のＣＰＵ７０２は、ジョブＡのデータとして、このような各種印刷処理条件パラメータと印刷データを、複合機１０２に送信するようＰＣ１０１を制御する。
【００９０】
デジタル複合機１０２がＰＣ１０１から該ジョブＡのデータを受信した事に応じて、デジタル複合機１０２のコントローラ部３０２は、次の制御を実施する。デジタル複合機１０２のコントローラ部３０２は、クライアントＰＣ１０１のユーザインタフェース部を介して指定された選択肢（ＧＡボード）に対応する記録媒体を、デジタル複合機１０２にジョブＡの記録媒体として選択させる。デジタル複合機１０２のコントローラ部３０２は、該選択された記録媒体に、ジョブＡの印刷データに基づく画像を、プリンタ部３０５によりプリントさせる。
【００９１】
このジョブＡの印刷処理をプリンタ部３０５に実行させる際に、デジタル複合機１０２のコントローラ部３０２は、ジョブＡの記録媒体に関わる属性データを用いてプリンタ部３０５を制御し、印刷処理を実行させる。この例では、ジョブＡの為に「ＧＡボード」がＰＣ１０１のユーザにより指定された。故に、このジョブＡの為の情報を用いて、コントローラ部３０２は、メディアセットテンプレート２０１にリンクしてメモリ３０５に保持している図２８に示す記録媒体のテーブルから、「ＧＡボード」の属性データを読み出す。図２８の例では、コントローラ３０２は、プリンタエンジンに直接関係するエンジンパラメータでもある、「厚さ：１８」、「色味：うす青」、「定着温度：ＸＸ度」等の属性データを読み出す。そして、コントローラ部３０２は、該ジョブＡで指定された選択肢に対応する記録媒体の属性データ（「厚さ：１８」、「色味：うす青」、「定着温度：ＸＸ度」等）に基づいた印刷プロセスでもって、プリンタ部３０５によりジョブＡの印刷を実行させる。このようにプリンタ部３０５の印刷プロセスを制御することにより、このジョブＡのための記録媒体の固有のパラメータに応じた印刷処理を実行可能にする。
【００９２】
（制御例２）クライアントＰＣ１０１のＣＰＵ７０２は、ＰＣ１０１の入力装置７０５を用いて、ＰＣ１０１のユーザにより、複合機１０２により印刷させるべき印刷データ（ドキュメントデータ）を、選択させる。先ほどの制御例１にて説明したジョブＡと区別するため、以下、このジョブを、ジョブＢと称す。ＣＰＵ７０２は、印刷対象となる該ジョブＢの印刷データの印刷指示の受け付けに応じて、図９に示すような印刷設定画面を、ＰＣ１０１の表示装置７０６に表示させる。尚、現段階では、まだ印刷データをＰＣ１０１から複合機１０２に対して送信する前の段階である。
【００９３】
ＰＣ１０１のＣＰＵ７０２は、図９の画面の「メディアセットテンプレートで指定」キー９０１がＰＣ１０１のユーザ操作により押下された事に応答し、ＰＣ１０１の表示装置７０６に、図１０に示すようなメディアセットテンプレートの選択画面を、表示させる。
【００９４】
図１０の画面の取得キー１００２がＰＣ１０１のユーザにより押下された事に応じ、ＣＰＵ７０２は、複合機１０２のメモリに保持されているメディアセットテンプレート２０１のデータを取得する為のリクエストコマンドを、ＰＣ１０１から複合機１０２に、送信させる。この時点においても、まだ、ジョブＢの印刷データは複合機１０２に送信させない。尚且つ、ＰＣ１０１のユーザによる該キー１００２の押下に応答し、ＣＰＵ７０２は、メディアセットテンプレート２０１のデータを複合機１０２から取得中である旨をＰＣ１０１のユーザに通知する為の情報を、ＰＣ１０１の表示装置７０６に、表示させる。この表示制御例を図１１に示す。
【００９５】
一方、該コマンドを複合機１０２が受信したことに応じて、複合機１０２のコントローラ部３０２は、以下の処理をする。デジタル複合機１０２のコントローラ部３０２は、図２７に示すようなメディアセットテンプレート２０１のデータを、デジタル複合機１０２のメモリ３０５から読み出す。複合機１０２のコントローラ部３０２は、読み出した該メディアセットテンプレート２０１のデータを、当該コマンド送信元であるクライアントＰＣ１０１に対して送信するよう複合機１０２を制御する。
【００９６】
クライアントＰＣ１０１のＣＰＵ７０２は、複合機１０２から送信されたメディアセットテンプレート２０１のデータをクライアントＰＣ１０１が受信したことに応じて、図１２に示す、メディアセットテンプレート選択画面を、表示装置７０６に表示させる。クライアントＰＣ１０１のＣＰＵ７０２が、表示装置７０６により表示させる内容は、複合機１０２から受信したメディテンプレート２０１のデータに基づく。また、ＣＰＵ７０２は、ＰＣ１０１の表示装置７０６にメディテンプレート２０１のデータを表示させる際に、複合機１０２にて利用可能な記録媒体に関わる識別子と選択肢の対応関係がユーザにより識別可能になるように、メディテンプレート２０１のデータの一覧情報を表示させる。この例を図１２に示す。
【００９７】
ここで、ＰＣ１０１のユーザインタフェース部を介して、クライアントＰＣ１０１のユーザにより、図１２の画面の「△△△商事」が選択された場合について説明する。ＣＰＵ７０２は、デジタル複合機１０２から取得したメディアセットテンプレート２０１のデータに基づいて、「△△△商事」という名称の識別子に関連づけられた選択肢（本形態では、設定メディア名と称する）を表示させる。図２９の例では、ＰＣ１０１のＣＰＵ７０２は、「△△△商事」に関連づけられた記録媒体の設定メディア名として次の設定メディア名を表示させている。すなわち、「ＮＢリサイクル」、「ＡＢリサイクル２０」、「ケナフケント」、及び、「ＣＣ厚紙」の設定メディア名が表示させられている。
【００９８】
このように、本実施形態では、複合機１０２にて印刷時に利用可能な複数の記録媒体に関わる複数の識別子のリストを、複合機１０２から取得するメディアセットテンプレート２０１のデータに基づいて、ＰＣ１０１の表示部に表示可能に制御する。且つ、該リストの中から所望の1つの識別子をＰＣ１０１のユーザにより選択可能に制御する。且つ、表示リストの中からＰＣ１０１のユーザにより何れか1つの識別子が選択された事に応じて、該1つの識別子に関連づけられた選択肢（設定メディア）のリストをＰＣ１０１の表示部に表示可能に制御する。且つ、それらの選択肢から、ユーザインタフェース部を介してＰＣ１０１のユーザによる選択ができるように、ＣＰＵ７０２は制御する。
【００９９】
上記例にて、例えば、ＰＣ１０１のユーザにより、設定メディア名のリストの中から「ＡＢリサイクル２０」が選択され、ＯＫキー１２０１が、入力装置７０５を介して、押下されたとする。この場合、ＰＣ１０１のＣＰＵ７０２は、該ジョブＢの印刷データと印刷設定に関わるデータ（コマンド）とを、ＰＣ１０１からデジタル複合機１０２に、送信する。
【０１００】
このＰＣ１０１から送信する該ジョブＢの印刷設定（印刷条件）に関わるデータには、例えば、片面印刷か両面印刷かの設定に関わるデータ、印刷部数に関わるデータ、フィニッシィングに関わるデータ等が含まれる。尚且つ、該ジョブＢの印刷設定に関わるデータには、「△△△商事」の識別子がＰＣ１０１のユーザにより指定された事を示すデータと、該識別子に関連付けられている設定メディア名が「ＡＢリサイクル２０」という選択肢がＰＣ１０１のユーザにより指定された事を示すデータが含まれている。ＰＣ１０１のＣＰＵ７０２は、ジョブＢのデータとして、このような各種印刷処理条件パラメータと印刷データを、複合機１０２に送信するようＰＣ１０１を制御する。
【０１０１】
デジタル複合機１０２がＰＣ１０１から該ジョブＢのデータを受信した事に応じて、デジタル複合機１０２のコントローラ部３０２は、次の制御を実施する。デジタル複合機１０２のコントローラ部３０２は、クライアントＰＣ１０１のユーザインタフェース部を介して指定された選択肢（ＡＢリサイクル２０）に対応する記録媒体を、デジタル複合機１０２にジョブＢの記録媒体として選択させる。デジタル複合機１０２のコントローラ部３０２は、該選択された記録媒体に、ジョブＢの印刷データに基づく画像を、プリンタ部３０５によりプリントさせる。
【０１０２】
このジョブＢの印刷処理をプリンタ部３０５に実行させる際に、デジタル複合機１０２のコントローラ部３０２は、ジョブＢの記録媒体に関わる属性データを用いてプリンタ部３０５を制御し、印刷処理を実行させる。この例では、ジョブＢの為に「ＡＢリサイクル２０」がＰＣ１０１のユーザにより指定された。故に、このジョブＢの為の情報を用いて、コントローラ部３０２は、メディアセットテンプレート２０１にリンクしてメモリ３０５に保持している図２８に示す記録媒体のテーブルから、「ＡＢリサイクル２０」の属性データを読み出す。図２８の例では、コントローラ３０２は、プリンタエンジンに直接関係するエンジンパラメータでもある、「厚さ：２１」、「色味：白」、「定着温度：ＸＸ度」等の属性データを読み出す。そして、コントローラ部３０２は、該ジョブＢで指定された選択肢に対応する記録媒体の属性データ（「厚さ：２１」、「色味：白」、「定着温度：ＸＸ度」等）に基づいた印刷プロセスでもって、プリンタ部３０５によりジョブＢの印刷を実行させる。このようにプリンタ部３０５の印刷プロセスを制御することにより、このジョブＢのための記録媒体の固有のパラメータに応じた印刷処理を実行可能にする。
【０１０３】
［第２の実施形態］
上記第１の実施形態では、クライアントＰＣ１０１より送信される画像データをデジタル複合機１０２にて印刷する場合について説明した。しかし、本発明は特にこれに限られず、例えば、スキャナ部３０１が原稿を読み込むことにより生成した画像データを、デジタル複合機１０２にて印刷する場合（すなわち、複写する場合）についても適用可能であることはいうまでもない。なお、クライアントＰＣ１０１が有する画像データをデジタル複合機１０２にて印刷する場合には、クライアントＰＣ１０１に表示される画面を介して設定を行った。しかし、デジタル複合機１０２にて複写する場合には、各種設定はデジタル複合機１０２の操作画面５０５にて行うことができる。以下、本実施形態の詳細について説明する。
【０１０４】
＜複写に際してのデジタル複合機における処理の流れ＞
図１５は、複写に際してメディアセットテンプレート２０１を選択するためのデジタル複合機における処理の流れを示すフローチャートである。操作画面５０５上でユーザが「コピー」タブを選択すると（ステップＳ１５０１）、ステップＳ１５０２では、図１６に示すコピー設定画面が表示される。
【０１０５】
図１６はコピー設定画面の一例を示す図であり、１６０５は色選択設定キー、１６０６はステータス表示部、１６０７は倍率表示部、１６０８は倍率設定キー、１６０９は仕分け方法選択キー、１６１０は枚数表示部である。また、１６１１は濃度設定キー、１６１２は画像モード設定キー、１６１３は割り込みキー、１６１４は両面設定キー、１６１５は紙サイズ設定キー、１６１６は紙サイズ表示部、１６１７はシステムモニタキー、１６１８は応用モードキーである。
【０１０６】
なお、デジタル複合機１０２の操作画面５０５には、「コピー」タブ１６０１以外にも、「送信」タブ１６０２、「ボックス」タブ１６０３、「拡張」タブ１６０４があり、それぞれ設定することが可能であるが、ここでは詳細説明は省略する。
【０１０７】
図１５に戻る。ステップＳ１５０３では、応用モードキー１６１８が押下されたか否かを判定する。応用モードキー１６１８が押下されることなく、スタートキー５０６が押下された場合には、ステップＳ１５１３に進み、印刷を開始する。
【０１０８】
一方、ステップＳ１５０３にて応用モードキー１６１８が押下されたと判定された場合には、ステップＳ１５０４に進み、図１７に示す応用モード設定ウィンドウを表示する。
【０１０９】
ステップＳ１５０５では、「メディアセットテンプレート」ボタン１７０１が押下されたか否かを判定する。ステップＳ１５０５において「メディアセットテンプレート」ボタン１７０１が押下されていないと判定された場合には、ステップＳ１５１３に進み、印刷を開始する。
【０１１０】
一方、ステップＳ１５０５にて、「メディアセットテンプレート」ボタン１７０１が押下されたと判定された場合には、ステップＳ１５０６に進み、図１８に示すメディアセットテンプレート選択ウィンドウを表示する。なお、当該ウィンドウ内には、デジタル複合機１０２に登録されているメディアセットテンプレート２０１が表示される。このとき、デジタル複合機１０２は、その時点での給紙トレイ情報も確認し、メディアセットテンプレートに設定されている各記録媒体について、現在給紙トレイに記録媒体がセットされているか否かの情報も合わせて表示する。
【０１１１】
ユーザは表示されたメディアセットテンプレートの内容を確認し、作業に応じたものを選択する。ステップＳ１５０７では、ユーザによるメディアセットテンプレートの選択を受け付ける。ステップＳ１５０８では、「ＯＫ」ボタン１８０１が押下されたか否かを判定し、押下されていないと判定された場合には、ステップＳ１５１５に進み、「キャンセル」ボタン１８０２が押下されたか否かを判定する。「キャンセル」ボタン１８０２が押下されなかった場合には、ステップＳ１５０８に戻る。一方、「キャンセル」ボタン１８０２が押下された場合には、ステップＳ１５０５に戻る。
【０１１２】
一方、ステップＳ１５０８にて「ＯＫ」ボタン１８０１が押下されたと判定された場合には、ステップＳ１５０９に進み、図１９に示す給紙トレイ選択ウィンドウを表示する。ユーザは、給紙トレイ選択ウィンドウ上で、どの給紙トレイに記録媒体をセットするかを選択する。ステップＳ１５１０では、給紙トレイ選択ウィンドウ（図１９）上で「ＯＫ」ボタン１９０１が押下されたか否かを判定し、押下されていなければ、ステップＳ１５１６に進み、「キャンセル」ボタン１９０２が押下されたか否かを判定する。「キャンセル」ボタン１９０２が押下されていない場合には、ステップＳ１５１０に戻る。一方、「キャンセル」ボタン１９０２が押下されたと判定された場合には、ステップＳ１５０５に戻る。
【０１１３】
一方、ステップＳ１５１０にて「ＯＫ」ボタン１９０１が押下されたと判定された場合には、ステップＳ１５１１に進み、図２０に示す給紙トレイ設定ウィンドウを表示する。デジタル複合機１０２では、図２０に示す給紙トレイ設定ウィンドウに表示されたように、各記録媒体が各給紙トレイにセットされていると認識することになる。換言すると、オペレータは図２０に示す給紙トレイ設定ウィンドウに従って、各給紙トレイに所定の記録媒体をセットすることが必要である。
【０１１４】
ステップＳ１５１２では、給紙トレイ設定ウィンドウ（図２０）上で「適用」ボタン２００１が押下されたか否かを判定する。「適用」ボタン２００１が押下されたと判定されなかった場合には、ステップＳ１５１７に進み、「キャンセル」ボタン２００２が押下された押下されたか否かを判定する。「キャンセル」ボタン２００２が押下されたと判定された場合には、ステップＳ１５０５に戻る。一方、「キャンセル」ボタン２００２が押下されていない場合には、ステップＳ１５１２に戻る。
【０１１５】
一方、ステップＳ１５１２にて「適用」ボタン２００１が押下されたと判定された場合には、ステップＳ１５１３に進む。ステップＳ１５１３では、スタートキー５０６のＯＮを契機としてスキャナ部３０１にて原稿を読み取り、画像データを取得する。さらに、ステップＳ１５１４では、取得した画像データを図１６のコピー設定画面に示すコピー条件のもと印刷出力する。
【０１１６】
以上の説明から明らかなように、本実施形態にかかるデジタル複合機は、メディアセットテンプレートを有している。そして、複写に際してコピー条件を入力する場合に、該メディアセットテンプレートのテンプレート名を選択可能に表示させることが可能な構成となっている。
【０１１７】
そして、ユーザは当該テンプレート名を選択するだけで、各給紙トレイにセットされる記録媒体の属性を示す情報をデジタル複合機に設定することが可能である。つまり、従来のように、数百にのぼる記録媒体の属性を示す情報の中から、所定の情報を選択し、各給紙トレイごとに設定していくという作業を回避することが可能となり、設定作業の負荷低減を図ることが可能である。
【０１１８】
また、各テンプレート名に対応付けられている複数の記録媒体に対して、給紙トレイとの対応関係が設定されていなかった場合には、選択的に設定することができる。
【０１１９】
以上説明した図１５のフローに基づいた、複合機１０２のコントローラ部３０２による制御例について、具体的なケースを用いて更に説明する。
【０１２０】
（制御例３）デジタル複合機１０２のスキャナ部３０１から読み込んだ印刷データ（ドキュメントデータ）をデジタル複合機１０２にて、操作部３０４からの印刷指示に応じて、プリンタ部３０３に印刷処理させる場合を説明する。以下、このジョブをジョブＣと称する。
【０１２１】
複合機１０２のコントローラ部３０２は、複合機１０２の操作部３０４を介して、ジョブＣの印刷処理のための、印刷条件と、印刷開始指示とを、受付可能に制御する。印刷条件とは、操作部３０４から入力する印刷処理や後処理に係る様々な条件であり、例えばステイプル処理の有無や、印刷部数、また、記録媒体の選択などが含まれる。
【０１２２】
複合機１０２のコントローラ部３０２は、操作画面として、図１６に示すような画面を、操作部３０４に表示させる。ここで、応用モードキー１６１８が押下された場合に、複合機１０２のコントローラ部３０２は、図１７に示す応用モード画面を、複合機１０２の操作部３０４に表示させる。コントローラ部３０２は、メディアセットテンプレートキー１７０１が、デジタル複合機１０２のユーザにより、操作部３０４を介して選択された場合に、次の処理を実行させる。コントローラ部３０２は、図１８に示すメディアセットテンプレートの選択画面を、複合機１０２の操作部３０４に表示させる。この際に、コントローラ部３０２は、メディアセットテンプレート２０１のデータとして、メモリ３０５に保存された、図２７のようなデータを読み出して、複合機１０２の操作部３０４に表示させる。
【０１２３】
ここで、コントローラ部３０２はメモリ３０５からメディアセットテンプレート２０１のデータのサーチに時間を要する場合に、次の表示をさせてもよい。複合機１０２のコントローラ部３０２は、メディアセットテンプレート２０１のデータをサーチ中である旨を複合機１０２のユーザに通知する為の情報を、複合機１０２の操作部３０４に表示させてもよい。
【０１２４】
サーチ後に、複合機１０２のコントローラ部３０２は、メモリ３０５より読み出したメディアセットテンプレート２０１のデータに基づいて、メディアセットテンプレート２０１のデータの一覧情報を表示させる。この際に、複合機１０２のコントローラ部３０２は、操作部３０４に、複合機１０２にて利用可能な記録媒体に関わる識別子と選択肢の対応関係がユーザにより識別可能になるように、前記表示を実行させる。すなわち、「ハンマーミルボンド」、「ＧＡボード」、「ＮＢリサイクル」、「ギンガムＧＡ」、「ケナフケント」の設定メディア名が表示させられている。
【０１２５】
このように、本実施形態では、複合機１０２にて印刷時に利用可能な複数の記録媒体に関わる複数の識別子のリストを、複合機１０２のメモリ３０５より読み出したメディアセットテンプレート２０１のデータに基づいて、複合機１０２の操作部３０４に表示可能に制御する。且つ、該リストの中から所望の１つの識別子を複合機１０２のユーザにより選択可能に制御する。且つ、表示リストの中から複合機１０２のユーザにより何れか１つの識別子が選択された事に応じて、該1つの識別子に関連づけられた選択肢（設定メディア）のリストを複合機１０２の操作部３０４に表示可能に制御する。且つ、それらの選択肢から、ユーザインタフェース部を介して複合機１０２のユーザによる選択ができるように、複合機１０２のコントローラ部３０２は制御する。
【０１２６】
上記例にて、例えば、例えば、複合機１０２のユーザにより、設定メディア名のリストの中から、「ＧＡボード」が選択され、ＯＫキー１８０１が、操作部３０４を介して、押下されたとする。この場合、コントローラ部３０２は指定された選択肢に関わる記録媒体を選択し、これを用いた印刷処理を実行可能にさせる。
【０１２７】
この際に、図２８に示す、記録媒体ごとの属性を検索し、適宜使用することにより、多種多様な記録媒体に柔軟に対応した印刷処理を実現する。図２８の例では、コントローラ３０２は、プリンタエンジンに直接関係するエンジンパラメータでもある、「ＧＡボード」の属性である「厚さ：１８」、「色味：うす青」、「定着温度：ＸＸ度」などの属性データを読み出す。そして、コントローラ部３０２は、これらの属性データ（「厚さ：１８」、「色味：うす青」、「定着温度：ＸＸ度」等）に基づいた印刷プロセスでもってプリンタ部３０５にジョブＣの印刷を実行させる。このようにプリンタ部３０５の印刷プロセスを制御することにより、記録媒体の固有のパラメータに応じた印刷処理を実行可能にする。
【０１２８】
（制御例４）デジタル複合機１０２のメモリ３０５やＨＤ４４０等の記憶部から読み込んだ印刷データ（ドキュメントデータ）をデジタル複合機１０２にて、操作部３０４からの、印刷条件の設定と、印刷指示に応じて、プリンタ部３０３に印刷処理させる場合を説明する。以下、このジョブをジョブＤと称する。印刷条件とは、操作部３０４から入力する印刷処理や後処理に係る様々な条件であり、例えばステイプル処理の有無や、印刷部数、また、記録媒体の選択などが含まれる。
【０１２９】
また、他の識別子として、図１８に示すメディアセットテンプレートの選択画面を表示した複合機１０２の操作部３０４を介して「１２／０６のもの」が選択されたものとする。コントローラ部３０２は図３０の「12/06のもの」の選択肢３００１に関連づけられた設定メディア名を、メモリ３０５に記憶保持するメディアセットテンプレート２０１から検索して読み出す。そして、コントローラ部３０２は、図３０のように、「１２／０６のもの」という識別子に関連づけられた選択肢である「和紙４４」を、操作部３０４に表示させる。
【０１３０】
このように、表示させられた識別子に関連づけられた設定メディアの選択肢から、操作部３０４を介してユーザによる選択ができるように、コントローラ部３０２は制御する。例えば、「和紙４４」が選択され、ＯＫキー１８０１が、デジタル複合機１０２のユーザにより、操作部３０４を介して、押下された場合には、コントローラ部３０２は指定された選択肢に関わる記録媒体を選択し、ジョブＤの印刷処理を実行させる。
【０１３１】
この際に、図２８に示す、記録媒体ごとの属性を検索し、適宜使用することにより、多種多様な記録媒体に柔軟に対応した印刷処理を実現する。図２８の例では、コントローラ３０２は、プリンタエンジンに直接関係するエンジンパラメータでもある、「和紙４４」の属性である「厚さ：３８」、「色味：うす茶」、「定着温度：ＸＸ度」などの属性データを読み出す。そして、コントローラ部３０２は、これらの属性データ（「厚さ：１８」、「色味：うす青」、「定着温度：ＸＸ度」等）に基づいた印刷プロセスでもってプリンタ部３０５にジョブＤの印刷を実行させる。このようにプリンタ部３０５の印刷プロセスを制御することにより、記録媒体の固有のパラメータに応じたジョブＤの印刷処理を実行可能にする。
【０１３２】
このように、記録媒体の選択処理を制御することにより、前述したクライアントＰＣ１０１から選択制御をする例で示した効果と同様の効果を、デジタル複合機１０２からの操作によっても得ることができる。このように、クライアントＰＣ１０１から可能なメディアセットテンプレートを用いた選択を複合機１０２でも可能にすることにより、より一層のユーザビリティの向上がある。
【０１３３】
これら上記を踏まえた上で、本実施形態は、印刷装置により選択可能な記録媒体の選択肢に関連付けられた複数の識別子のうちの、１つの識別子に関連付けられた複数の記録媒体の選択肢を、提示させる。この提示の制御は、印刷装置のコントローラ若しくは情報処理装置のＣＰＵなどにより処理させる。この際に、他の識別子に関連づけられた記録媒体の選択肢と区別できる状態で、ユーザインタフェース部により提示させる。ユーザインタフェース部により提示された複数の選択肢のうちのユーザにより選択された選択肢に対応する記録媒体を前記印刷装置により選択させる。
【０１３４】
ユーザにより区別可能な状態で提示させる例について説明する。
【０１３５】
領域が限られている場合や、領域をとらないようにした場合、または、一度に提示することができない場合などにおいては、順番を変更することにより候補を提示するとよい。具体的な例として、3行しか表示できない表示手段をユーザインタフェースとする場合を考える。この場合に、まず、複数の識別子を表示させ、ハードキーなどにより識別子を選択させる。識別子に関連づけられた複数の記憶媒体の選択候補が６つあり、一行に一候補としたい場合、同時に表示させることができない。そこで、まず、３つの選択候補を表示させ、次にハードキーなどによる指示を受けて残りの３つの選択候補を表示させる。また、さらにハードキーなどにより次に進むべき指示を受けた場合に、選択された識別子に関連づけられていない記憶媒体の選択候補を識別子とともに表示するなどしてもよい。
【０１３６】
また、広い表示領域を使用可能である場合を例に考える。この場合、使用可能な表示領域のなかの一部領域に選択候補を複数同時に、まとめて表示させる。これにより、ユーザにより区別可能な状態となる。領域により区別できる状態にする方法として具体的には、プルダウンメニューやスクロールバーなどを用いて多数の選択候補を表示させると良い。また、図１２にあるように、設定メディアの欄に○○○会社の識別子に関連づけられた記録媒体の選択候補のみ表示させても良い。この場合に、他の識別子、例えば図１２の△△△商事に関連づけられた記録媒体の選択候補が表示されず、所定の領域に関連づけられた記録媒体の選択候補のみ表示されるため、領域により区別可能となる。
【０１３７】
識別子と記録媒体の関連づけは、予め記憶させておいても良い。また、識別子の入力を、ユーザインタフェース部を介して可能とし、入力されたと関連付けられた複数の記録媒体の選択候補との入力を可能にしてもよい。これにより、例えば識別子としてユーザの仕事上での顧客によって記録媒体の選択候補をまとめて表示させ、また、好みの識別子を作成することが可能になる。具体的には、ユーザインタフェース部を介して、ユーザ任意の識別子を入力を受けつける。これに応じて、ＣＰＵ７０２又はコントローラ部３０２は、これをデジタル複合機１０２のメモリ３０５に保持されるメディアセットテンプレート２０１に記録させる。入力された識別子に対応させる選択肢も、ユーザインタフェース部を介して入力可能にし、同様にメディアセットテンプレート２０１に記録させる。
【０１３８】
識別子に対して記録媒体のみでなく識別子を関連づけ可能に構成にすることもなおよい。例えばある顧客が多部門からなり、多種類の記録媒体を頻繁に使用すると仮定する。この場合顧客を部門ごとに分類し識別子を作成することにより、より簡便に選択が可能となる。また、例えば製紙メーカーの識別子と、用紙サイズの識別子とを関連づけて構成しても良い。すなわち、１つの識別子に関連付けられた第１の複数の識別子を、第２の１つの識別子を含む第２の複数の識別子と関連付けられた記録媒体の選択候補及び又は識別子と、ユーザにより区別可能な状態で、ユーザインタフェース部により提示させる。第１の複数の識別子の中から特定された識別子に関連付けられた複数の記録媒体の選択候補を、他の識別子と関連付けられた選択候補及び又は識別子と、ユーザにより区別可能な状態で、ユーザインタフェース部により提示させる。そして、複数の選択候補から特定された選択候補に関連付けられた記録媒体を印刷装置により選択する事を可能とする。このような構成により、上記例が実現できる。
【０１３９】
記録媒体が選択された場合、選択された記録媒体に関連付けられた印刷設定を用いて選択された記録媒体に印刷装置により記録するように構成することも好適である。これにより、記録媒体により異なる記録媒体の性質を加味した印刷が可能となる。また、そうでなくとも、記録媒体の使用の記録をとることや、管理をすることが可能となる。
【０１４０】
ユーザインタフェース部は記録媒体に記録する前記印刷装置と通信可能に接続された情報処理装置のユーザインタフェース部である場合と、印刷装置のユーザインタフェース部である場合とが考えられる。また、このほかにも外部の他の表示手段や音声手段であってもよい。
【０１４１】
印刷装置のユーザインタフェース部に、選択された記録媒体を積載手段に積載することを促す提示をさせること構成も好適である。これにより、いずれの積載手段にどの記録媒体を積載すればよいかが伝達され、また、ユーザによるミスを軽減させることが可能となる。
【０１４２】
記録媒体の選択候補と識別子との関係は、常にＮ対１である必要は無い。時には１対１であっても構わない。しかしながら、少なくともＮ対１の関係を登録可能にすることにより、選択候補の選択をより簡便にすることが可能である。
【０１４３】
ユーザインタフェース部として考えられるものには、例えば表示手段（タッチパネルや、そうでないディスプレイなど）や、音声手段などがある。
【０１４４】
さらに、ユーザの使用状況が理解できるように、上記全てを踏まえて図面を参照し説明する。
【０１４５】
図８にて用紙選択の動作を説明したが、他の用紙選択の動作を含めた処理について図２１を参照して説明する。
【０１４６】
まず、Ｓ２１０１にて起動する。Ｓ２１０２は印刷設定画面の表示をする指示を受けるまで待機する処理である。Ｓ２１０２にて印刷設定画面の表示をする指示を受けたと判断した場合に、Ｓ２１０３にて印刷設定画面を表示させる。この画面は例えば図２２の印刷設定画面２２００などである。Ｓ２１０４に進み、用紙設定画面の表示指示を受けたかを判断する。用紙設定画面の表示をする指示は図２２においては給紙タブ２２０３を介して入力される。図２２を参照するとわかるように、その他の設定各種が可能であり、ページ設定タブ２２０１、仕上げタブ２２０２、印刷品質タブ２２０４により、それぞれを設定するための表示をさせる指示が可能に構成されている。例えば仕上げタブ２２０２には仕上げに関する設定をするための表示画面が関連づけられている。この、仕上げに関する設定をするための表示画面を介して、ステイプルやソートなどの仕上げに関する設定が可能に構成されている。これらその他の設定をするための画面を介してされた印刷設定（印刷条件）は、用紙の設定と共に、後に説明するステップにて送信されるように構成されている。
【０１４７】
Ｓ２１０４において、用紙設定画面を表示する旨の指示を受けたと判断した場合には、図２３の用紙設定画面２３００を表示させる。この表示を介して用紙指定の方法がユーザにより選択可能になる。
【０１４８】
Ｓ２１０５ではまず、指定方法がメディアセットテンプレートを利用するモードか否かを判断する。メディアセットテンプレートを用いる場合、Ｓ２１０６に進む。ここでメディアセットテンプレートについては図８のＳ８０５より先の処理となるため説明を省略する。
【０１４９】
Ｓ２１０５で否と判断された場合には、Ｓ２１０７に進む。ここで、用紙指定方法が用紙タイプから指定するものになっていると判断された場合には、Ｓ２１０８に進む。ここで図２４に示すように、予め保持されていた用紙タイプを選択候補として表示する。本例においては、図２４の領域２３０２に表示されており、２３０２Ｇ乃至２３０２Ｊが選択候補にあたる。この選択候補が選択された場合に、Ｓ２１０９の判断を経てＳ２１１４にすすむ。ここで、図２４の用紙タイプ取得指示２４０１を介して用紙タイプの取得をする指示がされた場合には、Ｓ２１１０にて判断され、Ｓ２１１１の用紙タイプの取得処理を実行させる。Ｓ２１１１の用紙タイプの取得処理は、例えば印刷装置などに対して、ネットワークを介して用紙タイプの選択候補を送信する旨要求し、それを記憶するものである。つぎに、Ｓ２１１２にて、取得した用紙タイプに選択候補を更新して表示させる。図２４と図２５を参照すると、領域２３０２内の用紙タイプの選択候補が、図２４と比較して図２５にて増えていることがわかる。これらは選択可能に構成された選択候補である。ここでＯＫボタン２２０５が押下された場合にはＳ２１１４の判断を経て、用紙タイプモードの選択候補から選択された、印刷用紙として利用する指示を含む印刷設定コマンドと画像データとが送信され、処理を終了する。
【０１５０】
Ｓ２１０７にて否と判断された場合にはＳ２１１６の判断へと進む。Ｓ２１１６では、用紙して方法が給紙部モードとなっているか否かを判断する。給紙部モードであった場合に、Ｓ２１１７にて給紙部モード用の選択候補を表示させる。図２３の領域２３０２に給紙部の選択候補を表示させる例が図示されている。給紙部モードの選択候補として２３０２Ａ乃至２３０２Ｆが図示されている。この選択候補が選択された場合にＳ２１１９に進み、ここで印刷装置にて用紙を利用する指示を含む印刷設定コマンドと画像データとを送信し、先に説明したＳ２１２４により終了処理をする。
【０１５１】
Ｓ２１２１は、用紙設定以外の処理をする処理である。こちらからも、ＯＫボタン２２０５が押下された場合には印刷設定コマンドと画像データを送信する処理をし、終了する。先に説明したように、印刷設定コマンドは複数の設定コマンドを含んで送信される。例えば、選択候補を介して選択された用紙を利用する指示や、ステイプルをさせるための指示、部数を指定する指示などが画像と共に送信される。
【０１５２】
図２６は印刷機側の処理を示すフローチャートであり、コピー機能やＦＡＸ機能を有する複合機の例である。印刷をするジョブ（印刷設定コマンドと画像データ）が送信されてきた場合に、Ｓ２６０３にてコマンドの解析を行う。つぎに、Ｓ２６０４にてコマンドから利用する用紙を決定し、Ｓ２６０５にて印刷処理を実行させ終了する。Ｓ２６０６は印刷ジョブ以外の処理をする場合について示している。
【０１５３】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１５４】
また、本発明の目的は、前述した実施形態の機能を実現するソフトウェアのプログラムコードを記録した記憶媒体を、
システムあるいは装置に供給し、
そのシステムあるいは装置のコンピュータ（またはＣＰＵやＭＰＵ）が記憶媒体に格納されたプログラムコードを読出し実行する
ことによっても、達成されることは言うまでもない。
【０１５５】
この場合、記憶媒体から読出されたプログラムコード自体が前述した実施形態の機能を実現することになり、そのプログラムコードを記憶した記憶媒体は本発明を構成することになる。
【０１５６】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１５７】
また、コンピュータが読出したプログラムコードを実行することにより、
前述した実施形態の機能が実現されるだけでなく、
そのプログラムコードの指示に基づき、コンピュータ上で稼働しているＯＳ（オペレーティングシステム）などが実際の処理の一部または全部を行い、その処理によって前述した実施形態の機能が実現される場合、
も含まれることは言うまでもない。
【０１５８】
さらに、記憶媒体から読出されたプログラムコードが、
コンピュータに挿入された機能拡張ボードやコンピュータに接続された機能拡張ユニットに備わるメモリに書込まれた後、
そのプログラムコードの指示に基づき、その機能拡張ボードや機能拡張ユニットに備わるＣＰＵなどが実際の処理の一部または全部を行い、
その処理によって前述した実施形態の機能が実現される場合、
も含まれることは言うまでもない。
【０１５９】
以上、上述した各実施形態のように構成することで、以下の効果を得ることができる。
【０１６０】
例えば、ＰＯＤ向けの印刷装置を想定して、多くの記録媒体のサポートを行う構成にも柔軟に対処することができる。特に、例えば、各記録媒体の属性を表す詳細な情報を集めたデータベースのようなものを備え、各記録媒体の細かな特徴に合わせたきめの細かい印刷を実現する構成等に対しても、柔軟に対処することができる。
【０１６１】
しかも、例えば、ＰＯＤ向けの印刷装置を想定して、普通紙、厚紙、タブ紙、ＯＨＰ用紙といった大分類の設定にとどまらず、「どの会社のなんという記録媒体か」といった細かい分類の設定も可能となる。
【０１６２】
また、例えば、印刷装置の為に記憶媒体の細かい分類の設定を可能にした事に起因して発生しうる、記録媒体に関わる管理情報が膨大となるといった問題に対しても、柔軟に対処することができる。
【０１６３】
このように、ＰＯＤ環境にも対応できるように、属性の異なる多種多様な記録媒体に柔軟に対応できる印刷環境を構築可能となる。また、ＰＯＤ環境にて発生しうるニーズにも十分に対処しつつ、現場で作業するオペレータの負担の増加が極力減るような印刷環境も構築可能となる。このように、様々な状況や利用環境を想定し、様々なユーザからの様々なニーズにも、極力、柔軟に対応できる仕組みを提供することが可能となる。
【図面の簡単な説明】
【０１６４】
【図１】本発明の第１の実施形態にかかるデジタル複合機（印刷装置）を備えるネットワークシステムの一例を示す図である。
【図２】メディアセットテンプレートの一例を示す図である。
【図３】本発明の第１の実施形態にかかるデジタル複合機１０２の機能構成を示す図である。
【図４】デジタル複合機１０２の制御を行うコントローラ部４０２のハードウェア構成の詳細を示す図である。
【図５】デジタル複合機１０２の操作部３０４の構成を示す図である。
【図６】スキャナ部３０１及びプリンタ部３０３の断面図である。
【図７】本発明の第１の実施形態にかかるクライアントＰＣの構成を示す図である。
【図８】クライアントＰＣ１０１から送信される画像データに基づいてデジタル複合機１０２にて印刷出力する場合の、クライアントＰＣ１０１における処理の流れを示すフローチャートである。
【図９】クライアントＰＣ１０１上に表示される印刷設定画面の一例を示す図である。
【図１０】メディアセットテンプレート選択ウィンドウの一例を示す図である。
【図１１】本体設定サーチ中ウィンドウの一例を示す図である。
【図１２】デジタル複合機１０２より取得されたメディアセットテンプレートを、メディアセットテンプレート選択ウィンドウ１００１に表示した様子を示す図である。
【図１３】給紙トレイ選択ウィンドウの一例を示す図である。
【図１４】給紙トレイ設定ウィンドウの一例を示す図である。
【図１５】複写に際してメディアセットテンプレートを選択するためのデジタル複合機における処理の流れを示すフローチャートである。
【図１６】コピー設定画面の一例を示す図である。
【図１７】応用モード設定ウィンドウの一例を示す図である。
【図１８】メディアセットテンプレート選択ウィンドウの一例を示す図である。
【図１９】給紙トレイ選択ウィンドウの一例を示す図である。
【図２０】給紙トレイ設定ウィンドウの一例を示す図である。
【図２１】クライアントＰＣ１０１から送信される画像データに基づいてデジタル複合機１０２にて印刷出力する場合の、クライアントＰＣ１０１における処理の流れを示すフローチャートである。
【図２２】クライアントＰＣ１０１上に表示される印刷設定画面の一例を示す図である。
【図２３】クライアントＰＣ１０１上に表示される印刷設定画面の一例を示す図である。
【図２４】クライアントＰＣ１０１上に表示される印刷設定画面の一例を示す図である。
【図２５】クライアントＰＣ１０１上に表示される印刷設定画面の一例を示す図である。
【図２６】クライアントＰＣ１０１から画像データを受信したデジタル複合機１０２における印刷出力の処理の流れを示すフローチャートである。
【図２７】メディアセットテンプレートのデータ内容の一例を示す図である。
【図２８】メディアセットテンプレートと関連づけられた記録媒体のテーブルの一例を示す図である。
【図２９】デジタル複合機１０２より取得されたメディアセットテンプレートの識別子が選択された際に、選択された識別子に関連づけられた設定メディア名が表示される様子を示す図である。
【図３０】メディアセットテンプレートの表示の一例を示す図である。
【図１】
0004766672.tif 000002
【図２】
0004766672.tif 000003
【図３】
0004766672.tif 000004
【図４】
0004766672.tif 000005
【図５】
0004766672.tif 000006
【図６】
0004766672.tif 000007
【図７】
0004766672.tif 000008
【図８】
0004766672.tif 000009
【図９】
0004766672.tif 000010
【図１０】
0004766672.tif 000011
【図１１】
0004766672.tif 000012
【図１２】
0004766672.tif 000013
【図１３】
0004766672.tif 000014
【図１４】
0004766672.tif 000015
【図１５】
0004766672.tif 000016
【図１６】
0004766672.tif 000017
【図１７】
0004766672.tif 000018
【図１８】
0004766672.tif 000019
【図１９】
0004766672.tif 000020
【図２０】
0004766672.tif 000021
【図２１】
0004766672.tif 000022
【図２２】
0004766672.tif 000023
【図２３】
0004766672.tif 000024
【図２４】
0004766672.tif 000025
【図２５】
0004766672.tif 000026
【図２６】
0004766672.tif 000027
【図２７】
0004766672.tif 000028
【図２８】
0004766672.tif 000029
【図２９】
0004766672.tif 000030
【図３０】
0004766672.tif 000031